(57)【要約】      （修正有）【課題】複数の木製ピースを組合わせて形成された模様部を備える木製パネルにおいて、製造コストの低減及び生産性の向上を図る。【解決手段】形状の異なる複数の木製ピース２０，２２を組み合わせて形成された模様部を備え、模様部は、樹種の異なる木材からなる木製ピース２０，２２を有し、他の木製ピース２０，２２と隣接する辺が曲線からなる木製ピース２０，２２を組み合わせた迷彩模様をなしている。【選択図】図１
0003216851.tif 000002
【実用新案登録請求の範囲】
【請求項１】
形状の異なる複数の木製ピースを組み合わせて形成された模様部を備え、
前記模様部は、樹種の異なる木材からなる前記木製ピースを有し、他の前記木製ピースと隣接する辺が曲線からなる前記木製ピースを組み合わせた迷彩模様をなしている木製パネル。
【請求項２】
前記模様部の外形は平面視矩形状をなし、
前記木製ピースは、前記模様部の辺部に隣接して設けられた縁用木製ピースと、前記縁用木製ピースより内側に設けられた内側木製ピースとを備え、
前記模様部において互いに対向する前記辺部の対向位置に設けられた前記縁用木製ピースは、前記辺部に沿った長さが等しい請求項１に記載の木製パネル。
【請求項３】
前記模様部の外形は平面視矩形状をなし、
前記木製ピースは、前記模様部の辺部に隣接して設けられた縁用木製ピースと、前記縁用木製ピースより内側に設けられた内側木製ピースとを備え、
前記模様部において互いに対向する前記辺部の対向位置に設けられた前記縁用木製ピースは、同一樹種の木材からなる請求項１又は２に記載の木製パネル。
【請求項４】
隣接して配置される前記木製ピースの木目の方向が異なる請求項１〜３のいずれか１項に記載の木製パネル。
【請求項５】
基板を備え、前記基板の表面に前記模様部が設けられている請求項１〜４のいずれか1項に記載の木製パネル。
【請求項６】
前記基板は、互いに対向する辺部の一方の側面に設けられた突条と、他方の前記辺部の側面に前記突条が嵌入可能に設けられた凹溝とを備える請求項５項に記載の木製パネル。
【考案の詳細な説明】
【技術分野】
【０００１】
本考案は、木製パネルに関する。
【背景技術】
【０００２】
従来、形状の異なる複数の木製ピースを組み合わせて模様を形成した木製パネルが知られている（例えば、下記特許文献１参照）。
【０００３】
この種の木製パネルは、木材による模様が表面に表れることから木材特有の美観とともに、手の込んだ加工を想起させ、高い意匠性を発揮することができる。しかしながら、木製パネルは、天然木から形成されているため、設置雰囲気の環境変化等によって膨張や収縮等の変形が起こりやすいという問題がある。
【先行技術文献】
【特許文献】
【０００４】
【特許文献１】特開２００１−２９３９９７号公報
【考案の概要】
【考案が解決しようとする課題】
【０００５】
本考案は上記実情に鑑みてなされたものであり、形状の異なる複数の木製ピースを組み合わせて形成された模様部を備える木製パネルにおいて、設置雰囲気の環境変化等によって生じる変形を抑えることを目的とする。
【課題を解決するための手段】
【０００６】
本考案の木製パネルは、形状の異なる複数の木製ピースを組み合わせて形成された模様部を備え、前記模様部は、樹種の異なる木材からなる前記木製ピースを有し、他の前記木製ピースと隣接する辺が曲線からなる前記木製ピースを組み合わせた迷彩模様をなしている。
【０００７】
本考案の好ましい態様において、前記模様部の外形は平面視矩形状をなし、前記木製ピースは、前記模様部の辺部に隣接して設けられた縁用木製ピースと、前記縁用木製ピースより内側に設けられた内側木製ピースとを備え、前記模様部において互いに対向する前記辺部の対向位置に設けられた前記縁用木製ピースは、前記辺部に沿った長さが等しい。
【０００８】
また、本考案の好ましい態様において、前記模様部の外形は平面視矩形状をなし、前記木製ピースは、前記模様部の辺部に隣接して設けられた縁用木製ピースと、前記縁用木製ピースより内側に設けられた内側木製ピースとを備え、前記模様部において互いに対向する前記辺部の対向位置に設けられた前記縁用木製ピースは、同一樹種の木材からなる。
【０００９】
また、本考案の好ましい態様において、隣接して配置される前記木製ピースの木目の方向が異なっていてもよい。
【００１０】
また、本考案の好ましい態様において、基板を備え、前記基板の表面に前記模様部が設けられてもよい。
また、本考案の好ましい態様において、前記基板は、互いに対向する辺部の一方の側面に設けられた突条と、他方の前記辺部の側面に前記突条が嵌入可能に設けられた凹溝とを備えてもよい。
【考案の効果】
【００１１】
本考案によれば、設置雰囲気の環境変化等によって生じる変形を抑えることができる。
【図面の簡単な説明】
【００１２】
【図１】本考案の一実施形態による木製パネルの平面図。
【図２】図１の木製パネルの断面図。
【図３】図１の木製パネルを連結した状態の平面図。
【考案を実施するための形態】
【００１３】
以下、本考案の一実施形態について図面を参照して説明する。
【００１４】
なお、本考案の理解を容易にするために、各図面において、各部材の大きさや厚みについては一部誇張して描かれており、実際の大きさや比率等とは必ずしも一致しないことがある。
【００１５】
本考案の一実施形態に係る木製パネル１０は、図１及び図２に示すように、矩形平板状の基板１２と、基板１２の表面を覆うように設けられた平面矩形状の模様部１４とを備える。
【００１６】
基板１２は、平面視が略正方形の板材であり、単板、合板、ＭＤＦ、パーティクルボード等の木質材料で構成されている。
【００１７】
基板１２の角部を挟んで隣り合う２つの辺部（例えば、図１の下辺部及び右辺部）の側面には突条１６が設けられ、突条１６が設けられた辺部に対向する２つの辺部（例えば、図１の上辺部及び左辺部）の側面に凹溝１８が設けられている。突条１６は、基板１２の側面のほぼ全体にわたって延びる突起であり、その断面形状が略長方形状をなしている。凹溝１８は、基板１２に側面全体にわたって延びる凹部であり、その断面溝形状が突条１６の形状に合致し、突条１６が嵌入可能に設けられている。
【００１８】
基板１２の一方の表面には、複数の木製ピース２０、２２を組み合わせて形成された模様部１４が接着固定されている。模様部１４は、それぞれ形状の異なる複数種類の木製ピース２０、２２を組み合わせて基板１２の表面に迷彩模様を表示するものである。
【００１９】
具体的には、模様部１４は、シート状又は薄板状の無垢の木材からなる木製ピース２０、２２を組み合わせて構成したものである。模様部１４は、例えば、メープル、チーク、ウォールナット及びオークからなる木製ピース２０，２２が存在しており、樹種の異なる２種類以上の木材が存在している。
【００２０】
複数の木製ピース２０、２２は、それぞれ平面形状が無作為な大きさ及び形状をなしており、他の木製ピース２０，２２と隣接する辺が全て曲線をなしている。このような木製ピース２０，２２を組み合わせることで、図１に例示するような略雲形状の木製ピース２０，２２が入り組んで配置された迷彩模様が基板１２の表面に表れる。
また、模様部１４を構成する木製ピース２０、２２は、模様部１４の辺部に隣接して設けられた縁用木製ピース２０と、縁用木製ピース２０より模様部１４の内側に設けられた内側木製ピース２２とを備える。模様部１４において隣接して配置される木製ピース２０、２２は、互いに樹種の異なる木材からなることが好ましい。
【００２１】
縁用木製ピース２０は、模様部１４の辺部に沿って配置される直線部２１を備え模様部１４において互いに対向する辺部の対向位置に設けられた他の縁用木製ピース２０と、模様部１４の辺部に沿った長さ（つまり、直線部２１の長さ）が等しくなっている。
【００２２】
具体的には、図１において模様部１４の下側の辺部に沿って６つの縁用木製ピース２０ＡＤ、２０Ａ１、２０Ａ２、２０Ａ３、２０Ａ４、２０ＡＢが左側から右側へ順に並んで配置され、模様部１４の上側の辺部に沿って６つの縁用木製ピース２０ＣＤ、２０Ｃ１、２０Ｃ２、２０Ｃ３、２０Ｃ４、２０ＣＢが左側から右側へ順に並んで配置されている。
【００２３】
また、図１において模様部１４の左側の辺部に沿って９つの縁用木製ピース２０ＡＤ、２０Ｄ１、２０Ｄ２、２０Ｄ３、２０Ｄ４、２０Ｄ５、２０Ｄ６、２０Ｄ７、２０ＡＢが下側から上側へ順に並んで配置され、模様部１４の右側の辺部に沿って９つの縁用木製ピース２０ＡＢ、２０Ｂ１、２０Ｂ２、２０Ｂ３、２０Ｂ４、２０Ｂ５、２０Ｂ６、２０Ｂ７、２０ＣＢが下側から上側へ順に並んで配置されている。
【００２４】
そして、模様部１４の下側の辺部の左端に設けられた縁用木製ピース２０ＡＤの直線部２１ＡＤａの長さが、この縁用木製ピース２０ＡＤと上下に対向する位置に設けられた縁用木製ピース２０ＣＤの直線部２１ＣＤａの長さと等しくなっている。
【００２５】
また、模様部１４の下側の辺部に設けられた縁用木製ピース２０ＡＤと、このピースと上下に対向する位置に設けられた縁用木製ピース２０ＣＤとは、いずれも同一樹種（本実施形態では、ウォールナット）からなる。
【００２６】
模様部１４の下側及び上側の辺部に設けられた他の縁用木製ピースについても同様、縁用木製ピース２０Ａ１、２０Ｃ１の直線部２１Ａ１、２１Ｃ１の長さが等しく、縁用木製ピース２０Ａ２、２０Ｃ２の直線部２１Ａ２、２１Ｃ２の長さが等しく、縁用木製ピース２０Ａ３、２０Ｃ３の直線部２１Ａ３、２１Ｃ３の長さが等しく、縁用木製ピース２０Ａ４、２０Ｃ４の直線部２１Ａ４、２１Ｃ４の長さが等しく、縁用木製ピース２０ＡＢ、２０ＣＢの直線部２１ＡＢａ、２１ＣＢａの長さが等しくなっており、互いに上下に対向する位置に設けられた縁用木製ピース同士の辺部に沿った長さが等しくなっている。
【００２７】
また、縁用木製ピース２０Ａ１、２０Ｃ１がオークからなり、縁用木製ピース２０Ａ２、２０Ｃ２がチークからなり、縁用木製ピース２０Ａ３、２０Ｃ３がオークからなり、縁用木製ピース２０Ａ４、２０Ｃ４がメープルからなり、縁用木製ピース２０ＡＢ、２０ＣＢがウォールナットからなり、互いに上下に対向する位置に設けられた縁用木製ピース同士はそれぞれ同一樹種から形成されている。
【００２８】
また、模様部１４の左側及び右側の辺部に設けられた縁用木製ピースについても同様、互いに左右に対向する位置に設けられた縁用木製ピース同士は辺部に沿った長さがそれぞれ等しく、それぞれ同一樹種から形成されている。
【００２９】
なお、縁用木製ピース２０Ｂ１、２０Ｂ２のように模様部１４の辺部において隣接していない縁用木製ピースが、模様部１４の内側において繋がっていてもよい。
【００３０】
本実施形態の木製パネル１０は、辺部に設けられた凹溝１８に他の木製パネル１０の突条１６を嵌入することで、複数の木製パネル１０の辺部同士を突き合わせて接合する。
【００３１】
本実施形態の木製パネル１０では、模様部１４が、樹種の異なる木材からなる木製ピース２０，２２を有し、他の木製ピース２０，２２と隣接する辺が曲線からなる木製ピース２０，２２を組み合わせた迷彩模様をなしている。そのため、木製パネル１０の設置雰囲気の環境変化によって模様部１４を構成する木製ピース２０，２２に膨張や収縮等の変形が生じても、変形時に生じる力が分散することができ、模様部１４全体としての変形を抑制することができる。
【００３２】
また、模様部１４が迷彩模様をなしているため、図３のように複数の木製パネル１０を連結させても、模様部１４の繰り返しが分かりにくく１つの大きな模様に見え、高い意匠性を発揮することができる。
【００３３】
また、本実施形態では、模様部１４が樹種の異なる木材からなる木製ピース２０、２２から構成されているため、変化に富んだ表情豊かな模様を形成することができる。
【００３４】
また、本実施形態の木製パネル１０では、互いに対向する辺部の対向位置に設けられた縁用木製ピース２０の直線部２１の長さが等しいため、異なる模様を有する木製パネルを用いることなく、同一模様の木製パネル１０の辺部同士を接合することで、図３に示すように意匠性に優れた連続的な模様を形成することができる。そのため、広範囲に木製パネル１０を設置する場合であっても、異なる模様を有する木製パネルを製造する必要が無く、製造コストの低減及び生産性の向上を図ることができる。
【００３５】
しかも、本実施形態のように互いに対向する位置に設けられた縁用木製ピースを同一樹種から形成することで、複数の木製パネル１０を連結させたときに、隣接する木製パネル１０同士の模様部１４をより一層違和感なく連結することができる。
【００３６】
なお、本実施形態では、基板１２の表面に模様部１４を形成した木製パネル１０について説明したが、模様部１４を基板１２に貼り付けることなく、厚板状の無垢板からなる木製ピース２０，２２を合わせて模様部１４を形成してもよい。
【００３７】
また、模様部１４において隣接して配置される木製ピース２０、２２は、木目の方向が互いに異なるように配置されていてもよい。このように木目の方向を互いに異ならせることにより、木製ピース２０，２２の変形時に生じる力を更に分散することができ、模様部１４の変形をより一層抑制することができるとともに、模様部１４の立体感が高まり意匠性を向上させることができる。
【００３８】
また、模様部１４を構成する木製ピース２０，２２は、本実施形態のように形状が全て異なっていてもよく、また、同一形状の木製ピースを複数含んでもよい。
【００３９】
また、模様部１４の角部に位置する縁用木製ピース２０ＡＤ、２０ＡＢ、２０ＣＢ、２０ＣＤは、最も薄い色、つまり、最も明度の高い樹種（本実施形態ではメープル）以外の樹種の木材で構成することが好ましい。このような場合、複数の木製パネル１０を連結したときに接合部分が集中する角部に明度の高い樹種が配置されることがないため、隣接する木製パネル１０同士の接合部分が目立ちにくくなり、更に意匠性を向上させることができる。
【００４０】
なお、上記の実施形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。
【符号の説明】
【００４１】
１０…木製パネル、１２…基板、１４…模様部、１６…突条、１８…凹溝、２０…縁用木製ピース、２１…直線部、２２…内側木製ピース
【図１】
0003216851.tif 000003
【図２】
0003216851.tif 000004
【図３】
0003216851.tif 000005